(57)【要約】【課題】  各色の画像の発色性に優れ、かつ、各インクを重ね合わせて記録したコンポジットブラックの画像の耐光性及び耐湿性に優れるインクセットを提供すること。【解決手段】  シアンインク、マゼンタインク、及び、イエローインクを含むインクジェット用のインクセットであって、各インクがそれぞれに含有してなる複数の色材の組み合わせが特定されてなることを特徴とする。【選択図】  図１
2013119573.tif 000002
【特許請求の範囲】
【請求項１】
シアンインク、マゼンタインク、及び、イエローインクを含むインクジェット用のインクセットであって、
前記シアンインクが、第１の色材としてＣ．Ｉ．アシッドブルー９、第２の色材としてＣ．Ｉ．ダイレクトブルー１９９を含有し、
前記マゼンタインクが、第１の色材として下記一般式（１）で表される化合物、第２の色材としてＣ．Ｉ．アシッドレッド５２を含有し、
前記イエローインクが、第１の色材としてＣ．Ｉ．ダイレクトイエロー１３２、第２の色材として下記一般式（２）で表される化合物を含有することを特徴とするインクセット。
【化１】
2013119573.tif 000012
（一般式（１）中、Ｒ１及びＲ２はそれぞれ独立に、水素原子、又は、ヒドロキシ基若しくはスルホン酸基で置換されていてもよいアルキル基である。Ｒ３は水素原子又はアルキル基である。Ｒ４はアルキレン基である。Ｍはそれぞれ独立に、水素原子、アルカリ金属、アルカリ土類金属、アンモニウム、又は、有機アンモニウムである。）
【化２】
2013119573.tif 000013
（一般式（２）中、Ｒ１及びＲ２はそれぞれ独立に、水素原子、アルキル基、アルコキシ基、アルカノイルアミノ基、アルコキシアルコキシ基、スルホン酸基、カルボン酸基、又は、ウレイド基である。ｍ及びｎはそれぞれ独立に１又は２の整数である。Ｍはそれぞれ独立に、水素原子、アルカリ金属、アルカリ土類金属、アンモニウム、又は、有機アンモニウムである。）
【請求項２】
複数のインクをそれぞれに収容する複数のインク収容部を備えてなるインクカートリッジであって、
前記複数のインク収容部にそれぞれに収容されているインクが、請求項１に記載のインクセットを構成する各インクであることを特徴とするインクカートリッジ。
【請求項３】
複数のインクをそれぞれにインクジェット方式の記録ヘッドから吐出させて記録媒体に記録を行うインクジェット記録方法であって、
前記複数のインクとして、請求項１に記載のインクセットを構成する各インクを用いることを特徴とするインクジェット記録方法。
【発明の詳細な説明】
【技術分野】
【０００１】
本発明は、インクセット、インクカートリッジ及びインクジェット記録方法に関する。
【背景技術】
【０００２】
近年、インクジェット記録方法により得られる記録物の画質向上は著しく、インターネットのウェブ画面などを普通紙に印刷する機会が増えている。また、インクジェット記録方法により得られる記録物を展示するなどして長期間保存することも増えてきている。このため、発色性だけでなく画像保存性にも優れた画像を形成可能なインクが求められるようになっている。先ず、発色性に関しては、インクに特定の色材を含有させることによって、普通紙などの記録媒体に記録した画像の発色性を向上することについての提案がある（特許文献１参照）。
【０００３】
また、画像保存性としては、耐ガス性、耐光性、耐湿性、耐水性などの様々な特性が挙げられるが、記録物の展示を想定すると、画像保存性の中でも耐光性や耐湿性を向上することが必要とされている。耐光性や耐湿性を向上するために、各位インクに特定の染料を含有させたインクセットに関する提案がある（特許文献２及び３参照）。
【先行技術文献】
【特許文献】
【０００４】
【特許文献１】特公昭６０−０３３１４５号公報
【特許文献２】特開２００３−１３８１６９号公報
【特許文献３】特開２００３−２３８８７０号公報
【発明の概要】
【発明が解決しようとする課題】
【０００５】
保存性に優れる画像を与えるインクを得るためには、例えば、インクに含有させる色材として、高い堅牢性を有する色材を用いるというアプローチがある。しかし、シアン、マゼンタ、及びイエローのそれぞれの原色に相当する色材について、いたずらに堅牢性が良好である色材を用いても、これらのインクを用いて記録したフルカラー画像の保存性は必ずしも良好であるとは限らないことがわかってきた。一方、普通紙に記録した画像の発色性を向上するためには、例えば、インクに含有させる色材として、高い発色性を有する色材を用いるというアプローチがある。しかし、発色性が良好である色材の分子構造と、堅牢性が良好である色材の分子構造とは、一般的には両立が困難である。
【０００６】
また、シアン、マゼンタ及びイエローの各インクには、それぞれのインクとして要求される画像の画像保存性及び発色性のレベルは互いに異なる。しかし、このようなインクをバランスよく組み合わせ、フルカラー画像の全体としての画像保存性及び発色性を向上することが必要である。
【０００７】
したがって、本発明の目的は、各色の画像の発色性に優れ、かつ、各インクを重ね合わせて記録したコンポジットブラックの画像の耐光性及び耐湿性に優れるインクセットを提供することにある。また、本発明の別の目的は、前記インクセットを用いたインクカートリッジ及びインクジェット記録方法を提供することにある。
【課題を解決するための手段】
【０００８】
上記の目的は、以下の本発明によって達成される。すなわち、本発明にかかるインクセットは、シアンインク、マゼンタインク、及び、イエローインクを含むインクジェット用のインクセットであって、前記シアンインクが、第１の色材としてＣ．Ｉ．アシッドブルー９、第２の色材としてＣ．Ｉ．ダイレクトブルー１９９を含有し、前記マゼンタインクが、第１の色材として下記一般式（１）で表される化合物、第２の色材としてＣ．Ｉ．アシッドレッド５２を含有し、前記イエローインクが、第１の色材としてＣ．Ｉ．ダイクレクトイエロー１３２、第２の色材として下記一般式（２）で表される化合物を含有することを特徴とする。
【０００９】
【化１】
2013119573.tif 000003
【００１０】
（一般式（１）中、Ｒ１及びＲ２はそれぞれ独立に、水素原子、又は、ヒドロキシ基若しくはスルホン酸基で置換されていてもよいアルキル基である。Ｒ３は水素原子又はアルキル基である。Ｒ４はアルキレン基である。Ｍはそれぞれ独立に、水素原子、アルカリ金属、アルカリ土類金属、アンモニウム、又は、有機アンモニウムである。）
【００１１】
【化２】
2013119573.tif 000004
【００１２】
（一般式（２）中、Ｒ１及びＲ２はそれぞれ独立に、水素原子、アルキル基、アルコキシ基、アルカノイルアミノ基、アルコキシアルコキシ基、スルホン酸基、カルボン酸基、又は、ウレイド基である。ｍ及びｎはそれぞれ独立に１又は２の整数である。Ｍはそれぞれ独立に、水素原子、アルカリ金属、アルカリ土類金属、アンモニウム、又は、有機アンモニウムである。）
【発明の効果】
【００１３】
本発明によれば、各色の画像の発色性に優れ、かつ、各インクを重ね合わせて記録したコンポジットブラックの画像の耐光性及び耐湿性に優れるインクセットを提供することができる。また、本発明の別の実施態様によれば、前記インクセットを用いたインクカートリッジ及びインクジェット記録方法を提供することができる。
【図面の簡単な説明】
【００１４】
【図１】本発明のインクカートリッジの一実施形態を示す斜視図である。
【発明を実施するための形態】
【００１５】
以下に、好ましい実施の形態を挙げて、本発明を詳細に説明する。なお、本発明においては、化合物（色材）が塩である場合は、インク中では塩の少なくとも一部はイオンに解離して存在しているが、便宜上、「塩を含有する」と表現する。
【００１６】
＜インクセット＞
本発明のインクセットは、シアンインク、マゼンタインク、及び、イエローインクを含み、インクジェット用として使用するものである。具体的には、各インクに、後述する特定の組み合わせの色材をそれぞれに含有させるという構成のインクセットにより、各色の画像の発色性と、各インクを重ね合わせて記録したコンポジットブラックの画像の耐光性及び耐湿性と、を向上することができる。本発明におけるインクセットとは、複数のインクをそれぞれ独立に収容してなるインクカートリッジの状態や、複数のインクをそれぞれ収容してなる複数のインク収容部を組み合わせて一体的に構成されてなるインクカートリッジの状態、を含むものである。インクカートリッジには、記録ヘッドが一体的に形成されていてもよい。勿論、本発明のインクセットは、これらの形態に限られるものではない。
【００１７】
（シアンインクの色材）
本発明のインクセットを構成するシアンインクは、第１の色材としてＣ．Ｉ．アシッドブルー９、及び、第２の色材としてＣ．Ｉ．ダイレクトブルー１９９を含有する。
【００１８】
本発明においては、シアンインク中の各色材の含有量が以下の条件を満たすことが好ましい。なお、各色材の含有量はインク全質量を基準とした値である。シアンインク中、第１の色材の含有量（質量％）は、インク全質量を基準として、０．１質量％以上１０．０質量％以下であることが好ましい。シアンインク中、第２の色材の含有量（質量％）は、インク全質量を基準として、０．１質量％以上１０．０質量％以下であることが好ましい。シアンインク中、第１の色材と第２の色材の合計の含有量（質量％）は、０．１質量％以上２０．０質量％以下、さらには０．５質量％以上１０．０質量％以下であることが好ましい。合計の含有量が０．１質量％未満であると、シアンインクとして好ましい発色性が十分に得られない場合があり、合計の含有量が２０．０質量％超であると、耐固着性などのインクジェット特性が十分に得られない場合がある。
【００１９】
シアンインク中、第１の色材の含有量（質量％）は、第１の色材及び第２の色材の合計の含有量（質量％）に対する質量比率で、２０％以上５０以下％であることが好ましい。第１の色材の含有量の質量比率を上記範囲とすることで、耐光性及びシアンインクとして好ましい発色性を両立させることができる。前記質量比率が２０％未満であるとシアンインクとして好ましい発色性が十分に得られない場合がある。一方、前記質量比率が５０％超であると、マゼンタ及びイエローの各インクとの耐光性のバランスがやや低下する場合がある。
【００２０】
（マゼンタインクの色材）
本発明のインクセットを構成するマゼンタインクは、第１の色材として下記一般式（１）で表される化合物、及び、第２の色材としてＣ．Ｉ．アシッドレッド５２を含有する。
【００２１】
【化３】
2013119573.tif 000005
【００２２】
（一般式（１）中、Ｒ１及びＲ２はそれぞれ独立に、水素原子、又は、ヒドロキシ基若しくはスルホン酸基で置換されていてもよいアルキル基である。Ｒ３は水素原子又はアルキル基である。Ｒ４はアルキレン基である。Ｍはそれぞれ独立に、水素原子、アルカリ金属、アルカリ土類金属、アンモニウム、又は、有機アンモニウムである。）
一般式（１）におけるアルキル基やアルキレン基の好適な炭素数はそれぞれ独立に１乃至６である。一般式（１）の化合物の好ましい具体例としては、下記の例示化合物Ｍ１が挙げられる。なお、下記の例示化合物は遊離酸の形で記載する。勿論、本発明は、前記一般式（１）の構造及びその定義に包含されるものであれば、下記の例示化合物に限られるものではない。
【００２３】
【化４】
2013119573.tif 000006
【００２４】
本発明においては、マゼンタインク中の各色材の含有量が以下の条件を満たすことが好ましい。なお、各色材の含有量はインク全質量を基準とした値である。マゼンタインク中、第１の色材の含有量（質量％）は、インク全質量を基準として、０．１質量％以上１０．０質量％以下であることが好ましい。マゼンタインク中、第２の色材の含有量（質量％）は、インク全質量を基準として、０．１質量％以上１０．０質量％以下であることが好ましい。マゼンタインク中、第１の色材と第２の色材の合計の含有量（質量％）は、０．１質量％以上２０．０質量％以下、さらには０．５質量％以上１０．０質量％以下であることが好ましい。合計の含有量が０．１質量％未満であると、マゼンタインクとして好ましい発色性が十分に得られない場合があり、合計の含有量が２０．０質量％超であると、耐固着性などのインクジェット特性が十分に得られない場合がある。
【００２５】
マゼンタインク中、第１の色材の含有量（質量％）は、第１の色材及び第２の色材の合計の含有量（質量％）に対する質量比率で、２５％以上６０％以下であることが好ましい。第１の色材の含有量の質量比率を上記範囲とすることで、耐光性とマゼンタインクとして好ましい発色性を両立させることができる。前記質量比率が２５％未満であると、シアン及びイエローの各インクとの耐光性のバランスがやや低下する場合がある。一方、前記質量比率が６０％超であると、マゼンタインクとして好ましい発色性が十分に得られない場合がある。
【００２６】
（イエローインクの色材）
本発明のインクセットを構成するイエローインクは、第１の色材としてＣ．Ｉ．ダイレクトイエロー１３２、及び、第２の色材として下記一般式（２）で表される化合物を含有する。
【００２７】
【化５】
2013119573.tif 000007
【００２８】
（一般式（２）中、Ｒ１及びＲ２はそれぞれ独立に、水素原子、アルキル基、アルコキシ基、アルカノイルアミノ基、アルコキシアルコキシ基、スルホン酸基、カルボン酸基、又は、ウレイド基である。ｍ及びｎはそれぞれ独立に１又は２の整数である。Ｍはそれぞれ独立に、水素原子、アルカリ金属、アルカリ土類金属、アンモニウム、又は、有機アンモニウムである。）
一般式（２）の化合物の好ましい具体例としては、下記の例示化合物Ｙ１が挙げられる。なお、下記の例示化合物は遊離酸の形で記載する。勿論、本発明は、前記一般式（２）の構造及びその定義に包含されるものであれば、下記の例示化合物に限られるものではない。
【００２９】
【化６】
2013119573.tif 000008
【００３０】
本発明においては、イエローインク中の各色材の含有量が以下の条件を満たすことが好ましい。なお、各色材の含有量はインク全質量を基準とした値である。イエローインク中、第１の色材の含有量（質量％）は、インク全質量を基準として、０．１質量％以上１０．０質量％以下であることが好ましい。イエローインク中、第２の色材の含有量（質量％）は、インク全質量を基準として、０．１質量％以上１０．０質量％以下であることが好ましい。イエローインク中、第１の色材と第２の色材の合計の含有量（質量％）は、０．１質量％以上２０．０質量％以下、さらには０．５質量％以上１０．０質量％以下であることが好ましい。含有量の合計が０．１質量％未満であると、イエローインクとして好ましい発色性が十分に得られない場合があり、合計の含有量が２０．０質量％超であると、耐固着性などのインクジェット特性が十分に得られない場合がある。
【００３１】
イエローインク中、第１の色材の含有量（質量％）は、第１の色材及び第２の色材の合計の含有量（質量％）に対する質量比率で、３０％以上９０％以下、さらには５０％以上８０％以下であることが好ましい。第１の色材の含有量の質量比率を上記範囲とすることで、耐光性とイエローインクとして好ましい発色性を両立させることができる。前記質量比率が３０％未満であるとイエローインクとして好ましい発色性が十分に得られない場合がある。一方、前記質量比率が９０％超であると、各色のインクを重ねて記録したコンポジットブラックの画像における耐湿性が十分に得られない場合がある。
【００３２】
（水性媒体）
本発明のインクセットを構成する各インクには、水、又は水及び水溶性有機溶剤の混合溶媒である水性媒体を含有させることができる。水としては、脱イオン水やイオン交換水を用いることが好ましい。インク中の水の含有量（質量％）は、インク全質量を基準として、１０．０質量％以上９０．０質量％以下であることが好ましい。また、水溶性有機溶剤としては、１価ないしは多価のアルコール類、グリコール類、グリコールエーテル類、含窒素化合物類、含硫黄化合物類などのインクジェット用のインクに使用可能なものをいずれも用いることができる。これらの水溶性有機溶剤は、１種又は２種以上をインクに含有させることができる。インク中の水溶性有機溶剤の含有量（質量％）は、インク全質量を基準として、５．０質量％以上９０．０質量％以下、さらには１０．０質量％以上５０．０質量％以下であることが好ましい。
【００３３】
本発明のインクセットを構成する各インクには、グリセリン、エチレングリコール、ジエチレングリコール、２−ピロリドン、尿素、エチレン尿素、及び、１、５−ペンタンジオールからなる群より選ばれる少なくとも１種を含有させることが好ましい。このような成分を含有するインクとすることで、様々な環境下におけるインクの吐出特性や記録ヘッドの吐出口における耐固着性を向上することができる。特に、上記の水溶性有機溶剤から選ばれる少なくとも３種を併用することで、インクの粘度の上昇を効果的に抑制することができ、高速な記録にも適用可能なインクとすることができる。
【００３４】
（添加剤）
本発明のインクセットを構成する各インクは、エチレン尿素などの尿素誘導体、トリメチロールプロパン、トリメチロールエタンなどの多価アルコール類など、常温で固体の水溶性有機化合物を含有させてもよい。また、本発明のインクセットを構成する各インクには、上記で説明した成分以外にも必要に応じて、界面活性剤、ｐＨ調整剤、防錆剤、防腐剤、防黴剤、酸化防止剤、還元防止剤、蒸発促進剤、キレート化剤、水溶性ポリマーなど、種々の添加剤を含有させてもよい。本発明においては、インクに長期信頼安定性などの特性を持たせるために、クエン酸３ナトリウムやプロキセルＧＸＬ（防腐剤；アビシア製）などの添加剤をインクに含有させることが特に好ましい。
【００３５】
（インクの物性）
本発明のインクセットを構成する各インクは、高速記録にも適用可能とするために、２５℃における粘度が１．０ｍＰａ・ｓ以上５．０ｍＰａ・ｓ以下、さらには２．０ｍＰａ・ｓ以上２．６ｍＰａ・ｓ以下の範囲内にあることが特に好ましい。また、本発明のインクセットを構成する各インクは、２５℃における表面張力が２０ｍＮ／ｍ以上６０ｍＮ／ｍ以下であることが好ましい。また、本発明のインクセットを構成する各インクは、２５℃におけるｐＨが５以上８以下であることが好ましい。
【００３６】
＜インクカートリッジ＞
本発明のインクカートリッジは、複数のインクをそれぞれに収容する複数のインク収容部を備えてなり、該複数のインク収容部に、上記で説明した本発明のインクセットを構成する各インクがそれぞれに収容されてなるものである。インクカートリッジは、複数のインク収容部と記録ヘッドとを有するように構成されていてもよい。以下にインクカートリッジの構成を説明する。
【００３７】
図１は、本発明のインクカートリッジの一実施形態を示す分解斜視図である。このインクカートリッジには記録ヘッドが一体に形成されている。インクカートリッジ１０００は、インクジェット記録装置の本体に載置されているキャリッジの位置決め手段及び電気的接点によって支持されるとともに、キャリッジに着脱可能となっている。インクカートリッジ１０００の筺体１１００の内部には、複数のインク（図示せず）がそれぞれに充填されている。そして、充填されているインクが消費されると、インクカートリッジは交換される。
【００３８】
図１に示すインクカートリッジ１０００の筺体１１００には、記録ヘッド１２００が一体に形成されている。この記録ヘッド１２００は、電気信号に応じてインクに膜沸騰を生じさせるための熱エネルギーを生成する電気熱変換体を用いたサーマル方式の記録ヘッドである。筺体１１００は、その内部にインクを保持する負圧を発生させるインク吸収体１３０１、１３０２及び１３０３を収容するための空間が形成されている。筺体１１００は、記録ヘッド１２００インク供給口にインクを導くための独立したインク流路を形成するインク供給機能を備えている。
【００３９】
＜インクジェット記録方法＞
本発明のインクジェット記録方法は、上記で説明した本発明のインクセットを構成する各インクをインクジェット方式の記録ヘッドから吐出させて記録媒体に画像を記録する方法である。インクを吐出する方式としては、インクに力学的エネルギーを付与する方式や、インクに熱エネルギーを付与する方式が挙げられ、本発明においては、熱エネルギーを利用するインクジェット記録方法を採用することが特に好ましい。本発明のインクを用いること以外、インクジェット記録方法の工程は公知のものとすればよい。
【００４０】
本発明のインクセットを構成する各インクを用いて画像を記録する際に用いる記録媒体は、インクを付与して記録を行う記録媒体であればいずれのものでも用いることができる。本発明においては、普通紙や、色材をインク受容層の多孔質構造を形成する微粒子に吸着させる、光沢紙などのインクジェット用の記録媒体を用いることが好ましい。光沢紙としては、支持体上のインク受容層に形成された空隙によりインクを吸収する、所謂、隙間吸収タイプのインク受容層を有する記録媒体を用いることが好ましい。
【実施例】
【００４１】
以下、実施例を挙げて本発明をさらに詳細に説明するが、本発明は、その要旨を超えない限り、下記の実施例によって何ら限定されるものではない。以下、「部」又は「％」とあるのは、特に指定のない限り、質量基準である。
【００４２】
＜インクの調製＞
表１に示す各成分（単位：％）を混合し、十分に撹拌した後、ポアサイズが０．２μｍであるメンブレンフィルターにて加圧ろ過を行って、各インクを調製した。なお、アセチレノールＥ１００は川研ファインケミカル製のノニオン性界面活性剤である。また、例示化合物Ｙ１はナトリウム塩型、例示化合物Ｍ１は市販のもの（Ｍ３７７；イルフォード製、ナトリウム塩型）を用いた。比較化合物Ｙ１は下記の構造を有する市販の染料（Ｙ１０４；イルフォード製）である。
【００４３】
【化７】
2013119573.tif 000009
【００４４】
【表１】
2013119573.tif 000010
【００４５】
＜インクセットの構成、評価＞
上記で得られた各インクを、表２の左側に示す組み合わせのインクセットとし、インクセットを構成する各インクをそれぞれ、図１に示す構成のインクカートリッジに充填した。このインクカートリッジをインクジェット記録装置ＰＩＸＵＳ  ＭＰ４８０（キヤノン製）を改造したものに搭載した。
【００４６】
（発色性）
上記記録装置を用いて、普通紙（ＰＢペーパーＧＦ５００；キヤノン製）に、各インクをそれぞれ単独で用い、６００ｄｐｉ×６００ｄｐｉ当たりに１１．４ｎｇのインクを付与する条件で単色のベタ画像を記録した。得られた画像について、分光光度計（Ｓｐｅｃｔｒｏｌｉｎｏ；Ｇｒｅｔａｇ  Ｍａｃｂｅｔｈ製）を用いて光学濃度を測定し、発色性の評価を行った。評価基準は以下の通りである。結果を表２に示す。
【００４７】
○：インクセットを構成する全てのインクについて光学濃度が１．１以上であった
×：インクセットを構成するインクのうち少なくとも一部のインクについての光学濃度が１．１未満であった。
【００４８】
（耐光性）
上記記録装置を用いて、光沢紙（キヤノン写真用紙・光沢  ゴールド  ＧＬ１０１；キヤノン製）に、各インクを重ね合わせて、光学濃度（試験前）が１．０であるコンポジットブラックのベタ画像を記録した。スーパーキセノン試験機（ＳＸ−７５；スガ試験機製）の試験槽内に記録物を入れ、照射強度１００キロルクス、槽内温度２４℃、相対湿度６０％の条件で、画像にキセノン光を７２時間照射した。照射前後のコンポジットブラックのベタ画像についてそれぞれ、上記と同じ分光光度計を用い、分光感度特性；ＩＳＯ  ステータスＡにより規定されたイエロー成分、マゼンタ成分、及び、シアン成分の光学濃度を測定した。得られたシアン、マゼンタ、及び、イエローの各波長領域での光学濃度から、濃度残存率＝｛光学濃度（試験後）／光学濃度（試験前）｝×１００の式に基づいて、各成分の濃度残存率を求めた。
【００４９】
このようにして得られた、イエロー成分、マゼンタ成分及びシアン成分の濃度残存率の最大値及び最小値の差をΔＯＤ値として、このΔＯＤ値から耐光性の評価を行った。評価基準は以下の通りである。結果を表２に示す。なお、ΔＯＤ値が大きいことは、イエロー成分、シアン成分、マゼンタ成分のいずれかに色相が大きくずれ、耐光性のバランスが低いことを意味する。
【００５０】
○：ΔＯＤ値が１５未満であった
×：ΔＯＤ値が１５以上であった。
【００５１】
（耐湿性）
上記記録装置を用いて、光沢紙（キヤノン写真用紙・光沢  ゴールド  ＧＬ１０１；キヤノン製）に、各インクを重ね合わせて、コンポジットブラックのテキスト画像（５ポイントのＭＳゴシック）を記録した。この記録物を温度２５℃、相対湿度８０％の条件で１週間保存した。その後、テキスト画像を目視で確認して耐湿性の評価を行った。評価基準は以下の通りである。評価結果を表２に示す。
【００５２】
○：滲みがなかった、又は、滲みはあったがテキストを判読できた
×：滲みがひどく、テキストを判読できなかった。
【００５３】
【表２】
2013119573.tif 000011
【図１】
2013119573.tif 000014